(57)【要約】【課題】  外部表示装置が接続されたことに応答して内蔵の表示部に操作キーを表示させて操作の入力をさせる。【解決手段】  出力状態検出部８２において外部出力部８１が外部表示装置２００に対して画像データを出力可能な状態にある旨が検出された場合、出力状態検出部８２は、その旨をシステム制御部３０に通知する。通知を受けたシステム制御部３０は表示先選択部９０に操作メニューを含む画像データを外部表示装置２００に対して出力させる。また、通知を受けたシステム制御部３０は、表示制御部４０に表示制御部４０が保持する操作キー画像データをパネル表示部５１に対して出力させる。一方、通知を受けない間、システム制御部３０は表示先選択部９０に操作メニューを含む画像データを表示制御部４０に対して出力させ、表示制御部４０に操作メニューを含む画像データをパネル表示部５１に出力させる。【選択図】    図１
2007067730.tif 000002
【特許請求の範囲】
【請求項１】
操作メニューを含む画像データおよび操作キーを表す操作キー画像データの何れか一方を表示する表示手段と、
前記操作メニューを含む画像データを外部に出力する外部出力手段と、
前記外部出力手段が外部に対して前記画像データを出力可能な状態にあることを検出する出力状態検出手段と、
前記検出がされた場合には前記操作キー画像データを前記表示手段に表示させるとともに前記外部出力手段における前記画像データの出力先である外部表示装置に前記操作メニューを含む画像データを表示させるべき旨の指示を行い、前記検出がされない場合には前記表示手段に前記操作メニューを含む画像データを表示させるべき旨の指示を行う表示データ指示手段と、
前記表示データ指示手段からの指示に従って前記表示手段または前記外部出力手段に対して前記操作メニューを含む画像データまたは前記操作キー画像データを供給する表示データ供給手段と、
前記表示手段に表示された前記操作キー画像データまたは前記操作メニューを含む画像データより操作の入力を受け付けるパネル入力手段と
を具備することを特徴とする撮像装置。
【請求項２】
前記表示データ供給手段は、
前記操作キー画像データを保持する操作キー画像データ保持手段と、
前記表示データ指示手段からの指示に従って前記操作メニューを含む画像データまたは前記操作キー画像データの何れかを選択して前記表示手段に表示させる表示データ選択手段と、
前記表示データ指示手段からの指示に従って前記操作メニューを含む画像データの表示先として前記表示手段および前記外部表示装置の何れかを選択して前記操作メニューを含む画像データを前記表示手段および前記外部出力手段の何れかに供給する表示先選択手段と
を具備することを特徴とする請求項１記載の撮像装置。
【請求項３】
前記表示先選択手段は、
前記操作メニューを表す操作メニュー画像データを保持する操作メニュー画像データ保持手段と、
前記操作メニューを含む画像データを生成して供給する画像データ処理手段と、
前記表示データ指示手段からの指示に従って前記画像データ処理手段より供給される前記操作メニューを含む画像データの表示先として前記表示手段および前記外部出力手段の何れかを選択する表示先選択スイッチと
を具備することを特徴とする請求項２記載の撮像装置。
【請求項４】
前記表示データ供給手段は、
前記操作メニューを含む画像データを前記表示手段および前記外部出力手段に対して供給する画像データ供給手段と、
前記操作キー画像データを保持する操作キー画像データ保持手段と、
前記表示データ指示手段からの指示に従って前記操作メニューを含む画像データまたは前記操作キー画像データの何れかを選択して前記表示手段に表示させる表示データ選択手段と
を具備することを特徴とする請求項１記載の撮像装置。
【請求項５】
前記画像データ供給手段は、
前記操作メニューを表す操作メニュー画像データを保持する操作メニュー画像データ保持手段と、
前記操作メニューを含む画像データを生成して供給する画像データ処理手段と
を具備することを特徴とする請求項４記載の撮像装置。
【請求項６】
前記操作メニューを含む画像データは、前記表示手段に表示された画像データの次に表示される次画像データを表示させるための画像データ送りキーおよび前記表示手段に表示された画像データの直前に表示された前画像データを表示させるための画像データ戻りキーをさらに含み、
前記パネル入力手段は、前記表示手段に表示された前記画像データ送りキーおよび画像データ戻りキーより前記次画像データおよび前画像データを表示させる操作の入力を受け付けることを特徴とする請求項１記載の撮像装置。
【請求項７】
前記操作キー画像データは、前記操作メニューにおけるカーソルを移動させる方向キーおよび前記操作メニューのうちの何れか一つを決定する決定キーを表す画像データを含み、
前記パネル入力手段は、前記表示手段に表示された前記方向キーおよび決定キーより前記操作メニューの操作を受け付けることを特徴とする請求項１記載の撮像装置。
【請求項８】
前記操作キー画像データは、前記表示手段に表示された画像データの次に表示される次画像データを表示させるための画像データ送りキーおよび前記表示手段に表示された画像データの直前に表示された前画像データを表示させるための画像データ戻りキーをさらに含み、
前記パネル入力手段は、前記表示手段に表示された前記画像データ送りキーおよび画像データ戻りキーより前記次画像データおよび前画像データを表示させる操作の入力を受け付けることを特徴とする請求項７記載の撮像装置。
【請求項９】
撮像装置と、前記撮像装置と接続された外部表示装置とを具備する画像データ表示システムであって、
前記撮像装置は、
操作メニューを含む画像データおよび操作キーを表す操作キー画像データの何れか一方を表示する表示手段と、
前記操作メニューを含む画像データを外部に出力する外部出力手段と、
前記外部出力手段が外部に対して前記画像データを出力可能な状態にあることを検出する出力状態検出手段と、
前記検出がされた場合には前記操作キー画像データを前記表示手段に表示させるとともに前記外部出力手段における前記画像データの出力先である外部表示装置に前記操作メニューを含む画像データを表示させるべき旨の指示を行い、前記検出がされない場合には前記表示手段に前記操作メニューを含む画像データを表示させるべき旨の指示を行う表示データ指示手段と、
前記表示データ指示手段からの指示に従って前記表示手段または前記外部出力手段に対して前記操作メニューを含む画像データまたは前記操作キー画像データを供給する表示データ供給手段と、
前記表示手段に表示された前記操作キー画像データまたは前記操作メニューを含む画像データより操作の入力を受け付けるパネル入力手段と
を備えることを特徴とする画像データ表示システム。
【発明の詳細な説明】
【技術分野】
【０００１】
本発明は、撮像装置に関し、特に、外部表示装置に出力した操作メニューを操作させる撮像装置に関する。
【背景技術】
【０００２】
近年、デジタルカメラの小型化が進み、それに伴いデジタルカメラに備えられた液晶モニターも小型化している状況にある。デジタルカメラが小型化すると、持ち運びが容易になり便利である。その反面、撮像した画像データを閲覧する際には、液晶モニターがあまりに小さいとユーザーにとって撮像した画像データは見難いものになる。また、液晶モニターがあまりに小さいと、ユーザーは迫力ある映像を味わうことができない。このような問題点を解決するため、デジタルカメラに保持された画像データをテレビ等の大画面の外部表示装置に出力させる画像データ外部出力技術が開発された。
【０００３】
上記画像データ外部出力技術によってデジタルカメラに保持された画像データをテレビ等の大画面の外部表示装置に出力させることは可能になったが、操作メニュー等の操作はデジタルカメラ側からしかできない。特に、操作メニューの操作方式として、タッチパネル方式を採用している撮像装置においては、操作メニューは、デジタルカメラの液晶モニターから操作するしかないため、操作メニューの操作をする際にはテレビから目を離して行うしかなかった。これに対して、テレビを見ながら操作メニューを操作できれば便利である。この便利さを実現させようとした技術として、デジタルカメラの表示画面には操作キーを表示させ、テレビには画像データを表示させる技術が提案されている（例えば、特許文献１参照。）。この技術においては、デジタルカメラはタッチパネル方式を採用しており、デジタルカメラの液晶モニターに表示された操作キーを直接押下することによって操作できるようになっていた。これにより、テレビに表示された画像データを見ながら操作メニューを操作することができる。
【特許文献１】特開２０００−３４１５７２号公報（図１）
【発明の開示】
【発明が解決しようとする課題】
【０００４】
しかしながら、上述の従来技術では、デジタルカメラの液晶モニターは操作キーを表示させる専用の液晶モニターとして用いており、常にデジタルカメラに保持された画像データをテレビ出力することが前提となっている。デジタルカメラに保持された画像データをテレビ出力しない時にはデジタルカメラにおいて画像データを確認できるようにした方が便利である。
【０００５】
そこで、本発明は、外部表示装置が接続されたことに応答して内蔵の表示部に操作キーを表示させて操作の入力をさせる撮像装置を提供することを目的とする。
【課題を解決するための手段】
【０００６】
本発明は、上記課題を解決するためになされたものであり、その第１の側面は、操作メニューを含む画像データおよび操作キーを表す操作キー画像データの何れか一方を表示する表示手段と、上記操作メニューを含む画像データを外部に出力する外部出力手段と、上記外部出力手段が外部に対して上記画像データを出力可能な状態にあることを検出する出力状態検出手段と、上記検出がされた場合には上記操作キー画像データを上記表示手段に表示させるとともに上記外部出力手段における上記画像データの出力先である外部表示装置に上記操作メニューを含む画像データを表示させるべき旨の指示を行い、上記検出がされない場合には上記表示手段に上記操作メニューを含む画像データを表示させるべき旨の指示を行う表示データ指示手段と、上記表示データ指示手段からの指示に従って上記表示手段または上記外部出力手段に対して上記操作メニューを含む画像データまたは上記操作キー画像データを供給する表示データ供給手段と、上記表示手段に表示された上記操作キー画像データまたは上記操作メニューを含む画像データより操作の入力を受け付けるパネル入力手段とを具備することを特徴とする撮像装置である。これにより、外部表示装置が接続されたことに応答して内蔵の表示部に操作キーを表示させて操作の入力をさせるという作用をもたらす。このため、外部表示装置に画像データを出力したときには、外部表示装置に表示された操作メニューを含む画像データを見ながら操作メニューを操作することができる。
【０００７】
また、この第１の側面において、上記表示データ供給手段は、上記操作キー画像データを保持する操作キー画像データ保持手段と、上記表示データ指示手段からの指示に従って上記操作メニューを含む画像データまたは上記操作キー画像データの何れかを選択して上記表示手段に表示させる表示データ選択手段と、上記表示データ指示手段からの指示に従って上記操作メニューを含む画像データの表示先として上記表示手段および上記外部表示装置の何れかを選択して上記操作メニューを含む画像データを上記表示手段および上記外部出力手段の何れかに供給する表示先選択手段とを具備することを特徴とするものである。これにより、操作メニューを含む画像データおよび操作キー画像データの出力先を制御することによって、撮像装置の表示画面に表示させる操作メニューを含む画像データまたは操作キー画像データを切り換えて操作の入力をさせるという作用をもたらす。
【０００８】
また、上記表示先選択手段は、上記操作メニューを表す操作メニュー画像データを保持する操作メニュー画像データ保持手段と、上記操作メニューを含む画像データを生成して供給する画像データ処理手段と、上記表示データ指示手段からの指示に従って上記画像データ処理手段より供給される上記操作メニューを含む画像データの表示先として上記表示手段および上記外部出力手段の何れかを選択する表示先選択スイッチと
を具備することを特徴とするものである。これにより、生成した操作メニューを含む画像データおよび操作キー画像データの出力先を制御することによって、撮像装置の表示画面に表示させる操作メニューを含む画像データまたは操作キー画像データを切り換えて操作の入力をさせるという作用をもたらす。
【０００９】
また、この第１の側面において、上記表示データ供給手段は、上記操作メニューを含む画像データを上記表示手段および上記外部出力手段に対して供給する画像データ供給手段と、上記操作キー画像データを保持する操作キー画像データ保持手段と、上記表示データ指示手段からの指示に従って上記操作メニューを含む画像データまたは上記操作キー画像データの何れかを選択して上記表示手段に表示させる表示データ選択手段とを具備することを特徴とするものである。これにより、操作キー画像データの出力を制御することによって、撮像装置の表示画面に表示させる操作メニューを含む画像データまたは操作キー画像データを切り換えて操作の入力をさせるという作用をもたらす。
【００１０】
また、上記画像データ供給手段は、上記操作メニューを表す操作メニュー画像データを保持する操作メニュー画像データ保持手段と、上記操作メニューを含む画像データを生成して供給する画像データ処理手段とを具備することを特徴とするものである。これにより、操作キー画像データの出力を制御することによって、撮像装置の表示画面に表示させる操作メニューを含む画像データまたは操作キー画像データを切り換えて操作の入力をさせるという作用をもたらす。
【００１１】
また、この第１の側面において、上記操作メニューを含む画像データは、上記表示手段に表示された画像データの次に表示される次画像データを表示させるための画像データ送りキーおよび上記表示手段に表示された画像データの直前に表示された前画像データを表示させるための画像データ戻りキーをさらに含み、上記パネル入力手段は、上記表示手段に表示された上記画像データ送りキーおよび画像データ戻りキーより上記次画像データおよび前画像データを表示させる操作の入力を受け付けることを特徴とするものである。これにより、撮像装置の表示画面を押下することによって画像データに対して画像データ送りおよび画像データ戻りの操作をさせるという作用をもたらす。
【００１２】
また、この第１の側面において、上記操作キー画像データは、上記操作メニューにおけるカーソルを移動させる方向キーおよび上記操作メニューのうちの何れか一つを決定する決定キーを表す画像データを含み、上記パネル入力手段は、上記表示手段に表示された上記方向キーおよび決定キーより上記操作メニューの操作を受け付けることを特徴とするものである。これにより、外部表示装置に表示された操作メニューを見ながら、撮像装置の表示画面を押下することによって操作メニューの操作をさせるという作用をもたらす。
【００１３】
また、上記操作キー画像データは、上記表示手段に表示された画像データの次に表示される次画像データを表示させるための画像データ送りキーおよび上記表示手段に表示された画像データの直前に表示された前画像データを表示させるための画像データ戻りキーをさらに含み、上記パネル入力手段は、上記表示手段に表示された上記画像データ送りキーおよび画像データ戻りキーより上記次画像データおよび前画像データを表示させる操作の入力を受け付けることを特徴とするものである。これにより、外部表示装置に表示された操作メニューを見ながら、撮像装置の表示画面を押下することによって直接画像データの画像データ送りおよび画像データ戻りの操作をさせるという作用をもたらす。
【００１４】
また、本発明の第２の側面は、撮像装置と、上記撮像装置と接続された外部表示装置とを具備する画像データ表示システムであって、上記撮像装置は、操作メニューを含む画像データおよび操作キーを表す操作キー画像データの何れか一方を表示する表示手段と、上記操作メニューを含む画像データを外部に出力する外部出力手段と、上記外部出力手段が外部に対して上記画像データを出力可能な状態にあることを検出する出力状態検出手段と、上記検出がされた場合には上記操作キー画像データを上記表示手段に表示させるとともに上記外部出力手段における上記画像データの出力先である外部表示装置に上記操作メニューを含む画像データを表示させるべき旨の指示を行い、上記検出がされない場合には上記表示手段に上記操作メニューを含む画像データを表示させるべき旨の指示を行う表示データ指示手段と、上記表示データ指示手段からの指示に従って上記表示手段または上記外部出力手段に対して上記操作メニューを含む画像データまたは上記操作キー画像データを供給する表示データ供給手段と、上記表示手段に表示された上記操作キー画像データまたは上記操作メニューを含む画像データより操作の入力を受け付けるパネル入力手段とを備えることを特徴とする画像データ表示システムである。これにより、外部表示装置が接続されたことに応答して内蔵の表示部に操作キーを表示させて操作の入力をさせるという作用をもたらす。
【発明の効果】
【００１５】
本発明によれば、外部表示装置が接続されたことに応答して内蔵の表示部に操作キーを表示させて操作の入力をさせることができるという優れた効果を奏し得る。
【発明を実施するための最良の形態】
【００１６】
次に本発明の実施の形態について図面を参照して詳細に説明する。
【００１７】
図１は、本発明の実施の形態における画像表示システムを示す図である。この画像表示システムは、撮像装置１００と外部表示装置２００とを含んで構成される。
【００１８】
撮像装置１００は、撮像部１０と、記録再生処理部２０と、システム制御部３０と、表示制御部４０と、表示部５０と、キー入力部６０と、入力制御部７０と、外部出力部８１と、出力状態検出部８２と、表示先選択部９０とを備える。
【００１９】
撮像部１０は、レンズ部１１と、撮像素子部１２と、信号処理部１３とを備える。レンズ部１１は、撮像しようとする被写体を撮像素子に結像させるなどの役割を果たすものである。撮像素子部１２は、例えばＣＣＤ（Charge Coupled Device）などの撮像素子により構成され、その結像面にレンズ部１１を通じた像が結像される。この撮像素子部１２は、シャッター操作に応じてシステム制御部３０から供給される画像取り込みタイミング信号を受けて、結像面に結像されている被写体像を撮像信号に変換し、信号処理部１３に供給する。
【００２０】
信号処理部１３は、システム制御部３０からの制御信号に基づいて撮像信号についてのガンマ補正やＡＧＣ（Auto Gain Control）などの処理を行うとともに、撮像信号をデジタル信号としての画像データに変換する処理も行う。また、信号処理部１３は、システム制御部３０からの制御信号に基づき、画像データに対してホワイトバランス制御などをさらに行う。
【００２１】
表示先選択部９０は、信号処理部１３および符号化／復号化部２１より供給された画像データ中に操作メニュー画像データを含ませる処理を行い、システム制御部から信号線１１３を通じて供給される制御信号に従ってその操作メニュー画像データを含ませた画像データをデータ線１１１およびデータ線１１２の何れか一方より出力するものである。
【００２２】
記録再生処理部２０は、符号化／復号化部２１と、記録／再生制御部２２とを備える。符号化／復号化部２１は、信号処理部１３から出力された画像データなどを符号化し多重化して圧縮データに変換する符号化機能を有する。一方、符号化／復号化部２１は、圧縮データから画像データを復号する復号機能を有する。
【００２３】
記録／再生制御部２２は、符号化／復号化部２１から圧縮データを受けて外部記憶媒体４００に書き込む。また、記録／再生制御部２２は、外部記憶媒体４００から圧縮データを読み出して符号化／復号化部２１に出力する。外部記憶媒体４００としては、例えばＣＤ、ＤＶＤなどの光ディスク（optical disk）が想定されるが、これに限るものではなく光ディスク以外の記憶媒体を利用することもできる。また、記憶媒体は、撮像装置１００の内部にあってもよい。この場合、内部記録媒体としては、例えばハードディスクやフラッシュメモリ（flash memory）等が想定されるが、これに限るものではない。
【００２４】
システム制御部３０は、撮像装置１００全体の処理を司るものである。表示制御部４０は、表示先選択部９０から出力された画像データを表示部５０の一部であるパネル表示部５１において表示させる処理を行う。また、本発明の実施の形態における表示制御部４０は、操作キーを表す操作キー画像データを保持しており、システム制御部３０からの制御信号に基づいて、画像データおよび操作キー画像データのいずれかを選択してパネル表示部５１に表示させる。なお、パネル表示部５１としては、例えば、ＬＣＤ（Liquid Crystal Display）が想定されるが、これに限るものではない。
【００２５】
表示部５０の一部であるパネル入力部５２は、パネル表示部５１の表面に設けられた操作入力装置であり、表示部５０における表示画面を押下することによって操作の入力を受け付けるものである。すなわち、パネル入力部５２は、タッチパネル方式の入力装置である。キー入力部６０には、撮影モードと再生モードなどの他のモードとを切り換えるモード切り換えキー、ズーム調整キー、露出調整のためのキー、シャッターキー、動画撮影用キーなどの複数のキーが設けられている。
【００２６】
入力制御部７０は、パネル入力部５２およびキー入力部６０からの操作信号をシステム制御部３０に伝える。システム制御部３０は、パネル入力部５２およびキー入力部６０においていずれの操作が行われたかを判別し、その判別結果に応じた制御処理を行う。
【００２７】
外部出力部８１は、操作メニューを含む画像データを外部に出力するものである。図１においては、外部出力ケーブル３００を介して操作メニューを含む画像データを外部に出力する構成を示しているが、これに限るものではなく例えば、無線方式によって操作メニューを含む画像データを外部に出力する構成であってもよい。外部出力部８１に外部出力ケーブル３００が挿入されると、外部出力ケーブル３００はデータ線１１１に接続され、表示先選択部９０から外部表示装置２００に画像データを出力することができるようになる。
【００２８】
出力状態検出部８２は、外部出力部８１が外部に対して画像データを出力可能な状態にあることを検出するものである。図１において出力状態検出部８２は、外部出力部８１に外部出力ケーブル３００が接続されることによって接点が接触するスイッチになっており、スイッチがオンすると外部出力部８１が外部に対して画像データを出力可能な状態にあることを検出する。
【００２９】
本発明の実施の形態における撮像装置１００と外部表示装置２００とを外部出力ケーブル３００によって接続した場合においては、撮像装置１００のパネル表示部５１には上記説明した操作キー画像データが表示され、操作メニューを含む画像データは外部表示装置２００に表示される。そして、パネル表示部５１において操作キー画像データが表示された部分より操作入力を受け付ける。これにより、外部表示装置２００に表示された操作メニューを含む画像データを見ながら、操作メニューの操作をすることが可能になる。
【００３０】
図２は、本発明の実施の形態における表示切替え機能の構成の一例を示す図である。本発明の実施の形態における表示切替え機能は、表示データ供給部１０００からパネル表示部５１および外部表示装置２００に供給される画像データおよび操作キー画像データをシステム制御部３０により制御することにより実現される。
【００３１】
システム制御部３０は、表示データ指示部３１と、操作指示部３２とを備える。表示データ指示部３１は、出力状態検出部８２における検出結果に基づいてパネル表示部５１および外部表示装置２００に表示させる表示データの指示を行うものである。
【００３２】
具体的には、表示データ指示部３１は、出力状態検出部８２より外部出力部８１が外部に対して画像データを出力可能な状態にある旨の通知を受けると、表示データ選択スイッチ４２に対してはＳ２側をオンにするよう指示を行い、表示先選択スイッチ１３３に対してはＳ４側をオンにするよう指示を行う。
【００３３】
一方、表示データ指示部３１は、出力状態検出部８２より外部出力部８１が外部に対して画像データを出力可能な状態にある旨の通知を受けない間は、表示データ選択スイッチ４２に対してはＳ１側をオンにするよう指示を行い、表示先選択スイッチ１３３に対してはＳ３側をオンにするよう指示を行う。
【００３４】
操作指示部３２は、所定の操作指示と表示部５０の表示画面上の領域とを対応付けたテーブルを有している。外部より表示部５０の表示画面上に位置するパネル入力部５２に対して押下した座標は、入力制御部７０を介して操作指示部３２に供給される。操作指示部３２は、上記テーブルを参照して供給された座標に対応する指示を行う。また、操作指示部３２は、出力状態検出部８２において外部出力部８１が外部に対して画像データを出力可能な状態にあることが検出された場合に用いるテーブルおよび出力状態検出部８２において外部出力部８１が外部に対して画像データを出力可能な状態にあることが検出されない場合に用いるテーブルの２つのテーブルを有しており、出力状態検出部８２からの通知に基づいたテーブルを用いて操作指示を行っている。
【００３５】
すなわち、出力状態検出部８２において外部出力部８１が外部に対して画像データを出力可能な状態にあることが検出された場合は、表示部５０には操作キー画像データが表示されるため、その操作キー画像データに対応するテーブルを用いて操作指示を行う。また、出力状態検出部８２において外部出力部８１が外部に対して画像データを出力可能な状態にあることが検出されない場合は、表示部５０には操作メニュー画像データを含んだ画像データが表示されるため、その操作メニュー画像データに対応するテーブルを用いて操作指示を行う。
【００３６】
表示データ供給部１０００は、表示データ指示部３１からの指示に従ってパネル表示部５１および外部表示装置２００に対して表示させるべきデータを供給するものであり、表示先選択部９０と、表示制御部４０とを備える。
【００３７】
表示先選択部９０は、操作メニュー画像データ保持部１３１と、画像データ処理部１３２と、表示先選択スイッチ１３３とを備える。
【００３８】
操作メニュー画像データ保持部１３１は、操作メニューを表す操作メニュー画像データを保持するものである。画像データ処理部１３２は、操作メニュー画像データ保持部１３１より所定の操作メニュー画像データを取得して、信号処理部１３より供給された画像データに所定の操作メニュー画像データを含める処理を行う。また、画像データ処理部１３２は、操作指示部３２より出力された外部記憶媒体４００に記憶された画像データに対しても所定の操作メニュー画像データを含める処理を行う。
【００３９】
表示先選択スイッチ１３３は、表示データ指示部３１からの指示に従って画像データ処理部１３２から供給される操作メニューを含む画像データの表示先を選択するものである。
【００４０】
画像データ処理部１３２から供給される操作メニューを含む画像データの供給先が外部出力部８１の場合、すなわち、出力状態検出部８２において外部出力部８１が外部に対して画像データを出力可能な状態にあることが検出された場合、表示データ指示部３１から表示先選択スイッチ１３３に対してＳ４をオンにすべき旨の指示がなされ、表示先選択スイッチ１３３は、Ｓ４をオンにしてデータ線１１１を通じて外部出力部８１に操作メニューを含む画像データを供給する。
【００４１】
画像データ処理部１３２から供給される操作メニューを含む画像データの供給先がパネル表示部５１の場合、すなわち、出力状態検出部８２において外部出力部８１が外部に対して画像データを出力可能な状態にあることが検出されていない場合、表示データ指示部３１から表示先選択スイッチ１３３に対してＳ３をオンにすべき旨の指示がなされ、表示先選択スイッチ１３３は、Ｓ３をオンにしてデータ線１１２を通じて表示データ選択スイッチ４２に操作メニューを含む画像データを供給する。
【００４２】
表示制御部４０は、操作キー画像データ保持部４１と、表示データ選択スイッチ４２とを備える。操作キー画像データ保持部４１は、操作キーを表す画像データである操作キー画像データを保持するものである。操作キー画像データとしては、例えば操作メニューにおけるカーソルを移動させる方向キー、操作メニューのうちの何れか一つを決定する決定キーが想定されるが、これに限るものではない。
【００４３】
表示データ選択スイッチ４２は、表示データ指示部３１からの指示に従って表示先選択スイッチ１３３から供給される操作メニューを含む画像データおよび操作キー画像データ保持部４１に保持された操作キー画像データのうち何れか一つをパネル表示部５１に出力するものである。
【００４４】
画像データ処理部１３２から供給される操作メニューを含む画像データの供給先が外部出力部８１の場合、すなわち、出力状態検出部８２において外部出力部８１が外部に対して画像データを出力可能な状態にあることが検出された場合、表示データ指示部３１から表示データ選択スイッチ４２に対してＳ２をオンにすべき旨の指示がなされ、表示データ選択スイッチ４２は、Ｓ２をオンにしてパネル表示部５１に操作キー画像データ表示させる。
【００４５】
画像データ処理部１３２から供給される操作メニューを含む画像データの供給先がパネル表示部５１の場合、すなわち、出力状態検出部８２において外部出力部８１が外部に対して画像データを出力可能な状態にあることが検出されていない場合、表示データ指示部３１から表示データ選択スイッチ４２に対してＳ１をオンにすべき旨の指示がなされ、表示データ選択スイッチ４２は、Ｓ１をオンにしてパネル表示部５１に操作メニューを含む画像データを表示させる。
【００４６】
図３は、本発明の別の実施の形態における表示切替え機能の構成の一例を示す図である。図３における表示切替え機能の構成は、図２における表示切替え機能の構成の表示先選択部９０中の表示先選択スイッチ１３３、信号線１１３を取り除いたものである。なお、図３における画像データ供給部１３０は、図２における操作メニュー画像データ保持部１３１と、画像データ処理部１３２とを備えるものである。そして、画像データ処理部１３２から出力される操作メニューを含む画像データを外部出力部８１およびパネル表示部５１の両方に出力している。
【００４７】
このため、本発明の別の実施の形態においては、表示データ指示部３１から表示データ選択スイッチ４２に対する指示を行うだけで外部出力部８１およびパネル表示部５１への操作メニューを含む画像データ等の出力を制御できる。その他の符号が同じ機能や名称が同じ機能については、図２に説明したものと同様であるため、説明を省略する。
【００４８】
図４は、出力状態検出部８２において外部出力部８１が外部に対して画像データを出力可能な状態にあることが検出された場合の外部表示装置２００および表示部５０の表示画面の様子を示す図である。
【００４９】
図４（ａ）は、外部表示装置２００の表示画面２１０の様子を示す図である。外部表示装置２００の表示画面２１０には、操作メニュー表示２１１と、画像データ戻り表示２１２と、画像データ送り表示２１３と、撮像装置１００のバッテリの残量を示すバッテリ残量表示２１４と、撮像日時を示す撮像日時表示２１５とが表示される。なお、図４（ａ）においては、操作メニュー表示２１１に輪郭線が他の輪郭線と比べて太くなっているが、これはカーソルが操作メニュー表示２１１に位置することを示すものである。
【００５０】
なお、画像データ戻り表示２１２は、表示画面２１０に表示された画像データの直前に表示された前画像データを表示させる旨の操作（以下、画像データ戻り操作と呼ぶ。）を受けたことを表示するものである。また、画像データ送り表示２１３は、表示画面２１０に表示された画像データの次に表示される次画像データを表示させる旨の操作（以下、画像データ送り操作と呼ぶ。）を受けたことを表示するものである。
【００５１】
すなわち、例えば、画像データとして所定の順に並べて保持された静止画データを想定した場合、画像データ送り操作を行うと、現在表示画面２１０に表示されている静止画データの次に並べられた静止画データが表示画面２１０に表示されて（以下、画像データ送りと呼ぶ。）、画像データ送り表示２１３が着色表示される。また、この場合、画像データ戻り操作を行うと、現在表示画面２１０に表示されている静止画データの直前に並べられた静止画データが表示画面２１０に表示されて（以下、画像データ戻りと呼ぶ。）、画像データ戻り表示２１２が着色表示される。
【００５２】
また、画像データとして動画データを想定した場合、画像データ送り操作を行うと、画像データ送りとして動画データのフレーム送りが行われて、画像データ送り表示２１３が着色表示される。また、この場合、画像データ戻り操作を行うと、画像データの戻りとして動画データのフレーム戻りが行われて、画像データ戻り表示２１２が着色表示される。
【００５３】
なお、例えば、ＭＰＥＧ（Moving Picture Expert Group）−２符号化方式では、ＧＯＰ（Group Of Pictures）と呼ばれる１５枚のフレーム（画像）を順に表示させることにより０．５秒程度の動画像を表しているが、フレーム送りとは、例えば、１５枚のフレーム（画像）を順に表示させるのではなく、数枚置きにフレーム（画像）を順に表示させることをいう。一方、フレーム戻りは、その逆で数枚置きに遡ってフレーム（画像）を順に表示させることをいう。
【００５４】
図４（ｂ）は、表示部５０の表示画面５００の様子を示す図である。表示部５０の表示画面５００には、操作メニューにおけるカーソルを上方向に移動させる上方向キー５０１と、操作メニューにおけるカーソルを左方向に移動させる左方向キー５０２と、操作メニューにおけるカーソルを右方向に移動させる右方向キー５０３と、操作メニューにおけるカーソルを下方向に移動させる下方向キー５０４と、操作メニューのうちの何れか一つを決定する決定キー５０５と、画像データ戻り操作の入力キーである画像データ戻りキー５０６と、画像データ送り操作の入力キーである画像データ送りキー５０７が表示される。
【００５５】
画像データ戻りキー５０６または画像データ送りキー５０７を押下すると、これに対応して図４（ａ）に示した画像データ戻り表示２１２または画像データ送り表示２１３が着色されて表示される。なお、図４（ｂ）において示した操作キーは、一例であってその他の機能を有する操作キーを除外するものではない。
【００５６】
また、図４（ａ）と同様に、表示部５０の表示画面５００には、撮像装置１００のバッテリの残量を示すバッテリ残量表示５０８と、撮像日時を示す撮像日時表示５０９とが表示される。
【００５７】
図５は、表示部５０に表示された操作キーにより外部表示装置２００に表示されたメニューを操作する様子を示す図である。図４（ａ）における外部表示装置２００の表示画面２１０において、方向キーにより操作メニュー表示２１１にカーソルを移動させて決定キー５０５を押下すると表示画面２１０には、図５（ａ）に示すように具体的な操作詳細メニュー表示２２０が表示される。図５（ｂ）に示す表示部５０の表示画面５００中に表示された方向キー５０１乃至５０４によって操作詳細メニュー表示２２０のメニューＡ乃至メニューＣの何れかにカーソルを移動させた後に、決定キー５０５を押下するとメニューＡ乃至メニューＣの何れかに対応する機能が実行される。例えば、図５（ａ）においてカーソルは「メニューＡ」に位置するが、下方向キー５０４によりカーソルを「メニューＢ」または「メニューＣ」に移動させ、決定キー５０５を押下すると「メニューＢ」または「メニューＣ」に対応する機能が実行される。
【００５８】
また、操作詳細メニュー表示２２０が表示される前の画面に戻る場合は、図５（ｂ）に示す表示部５０の表示画面５００中に表示された方向キーによって図５（ａ）に示すカーソルを戻るボタン２１６に移動させた後、決定キー５０５を押下すると操作詳細メニュー表示２２０が表示される前の画面に戻る。なお、操作詳細メニュー表示２２０が表示される前の画面とは、図４（ａ）に示す画面である。
【００５９】
図６は、表示部５０に表示された操作キーにより外部表示装置２００に表示された画像データの画像データ送りを行う様子を示す図である。外部表示装置２００の表示画面２１０に表示された画像データに対して画像データ送りを行う場合は、図６（ｂ）に示す表示部５０の表示画面５００に表示された画像データ送りキー５０７を押下する。これにより、外部表示装置２００の表示画面２１０に表示された画像データに対して画像データ送りが行われる。なお、表示部５０の表示画面５００に表示された画像データ送りキー５０７を押下すると、それに対応して外部表示装置２００の表示画面２１０に表示された画像データ送り表示２１３に図６（ａ）に示す着色表示がされる。
【００６０】
また、画像データに対して画像データ送りを行うその他の操作方法として、表示部５０の表示画面５００に表示された方向キーによってカーソルを画像データ送り表示２１３に移動させた後に、決定キー５０５を押下すると、画像データに対する画像データ送りが実行される。なお、画像データに対する画像データ送りは、決定キー５０５が押下され続けられている間行われる。なお、以上は画像データに対する画像データ送りについて説明したが、画像データに対する画像データ戻りについても同様の方法で実行することができるため説明を省略する。
【００６１】
図７は、出力状態検出部８２において外部出力部８１が外部に対して画像データを出力可能な状態にあることが検出されない場合の表示部５０の表示画面の様子を示す図である。出力状態検出部８２において外部出力部８１が外部に対して画像データを出力可能な状態にあることが検出されない場合、表示部５０の表示画面５００には、図４（ｂ）で説明した外部表示装置２００の表示画面２１０と同様の画面が表示される。
【００６２】
操作としては、表示部５０の表示画面に表示された操作メニュー表示５１１、画像データ戻りキー５１２、画像データ送りキー５１３を押下することによって行う。操作メニュー表示５１１を押下すると、図５（ａ）に示した表示画面になり、所望の操作詳細メニュー表示を押下することによってその操作詳細メニュー表示に対応する機能が実行される。
【００６３】
次に本発明の実施の形態における撮像装置１００の動作について図面を参照して説明する。
【００６４】
図８は、本発明の実施の形態における撮像装置１００の表示部５０に操作メニューを含む画像データまたは操作キー画像データを表示させるまでの流れを示す図である。まず、表示データ指示部３１は、外部出力部８１が外部に対して画像データを出力可能な状態にあることが出力状態検出部８２において検出されたか否かを判断する（ステップＳ９１１）。
【００６５】
表示データ指示部３１は、外部出力部８１が外部に対して画像データを出力可能な状態にあることが出力状態検出部８２において検出されたと判断すると、表示先選択スイッチ１３３に対して操作メニューを含む画像データの供給先を外部出力部８１にするよう指示する（ステップＳ９１２）。すなわち、表示データ指示部３１は、表示先選択スイッチ１３３のＳ４をオンにするよう指示する。
【００６６】
表示先選択スイッチ１３３のＳ４がオンになると、画像データ処理部１３２から供給された操作メニューを含む画像データは外部出力部８１に供給され、外部出力部８１より操作メニューを含む画像データは外部表示装置２００に出力される（ステップＳ９１３）。そして、外部表示装置２００には、操作メニューを含む画像データが表示される。
【００６７】
また、表示データ指示部３１は、外部出力部８１が外部に対して画像データを出力可能な状態にあることが出力状態検出部８２において検出されたと判断すると、表示データ選択スイッチ４２に対してパネル表示部５１に供給するデータを操作キー画像データにするよう指示する（ステップＳ９１４）。すなわち、表示データ指示部３１は、表示データ選択スイッチ４２のＳ２をオンにするよう指示する。
【００６８】
表示データ選択スイッチ４２のＳ２がオンになると、パネル表示部５１には、操作キー画像データ保持部４１に保持された操作キー画像データが供給される（ステップＳ９１５）。そして、パネル表示部５１には、操作キー画像データが表示される。
【００６９】
一方、ステップＳ９１１において、表示データ指示部３１は、外部出力部８１が外部に対して画像データを出力可能な状態にあることが出力状態検出部８２において検出されていないと判断すると、表示先選択スイッチ１３３に対して操作メニューを含む画像データの表示先を表示データ選択スイッチ４２にするよう指示する（ステップＳ９１６）。すなわち、表示データ指示部３１は、表示先選択スイッチ１３３のＳ３をオンにするよう指示する。
【００７０】
表示先選択スイッチ１３３のＳ３がオンになると、画像データ処理部１３２で生成された操作メニューを含む画像データは表示データ選択スイッチ４２に供給される（ステップＳ９１７）。
【００７１】
また、表示データ指示部３１は、外部出力部８１が外部に対して画像データを出力可能な状態にあることが出力状態検出部８２において検出されていないと判断すると、表示データ選択スイッチ４２に対してパネル表示部５１に操作メニューを含む画像データを供給するよう指示する（ステップＳ９１８）。すなわち、表示データ指示部３１は、表示データ選択スイッチ４２のＳ１をオンにするよう指示する。
【００７２】
表示データ選択スイッチ４２のＳ１がオンになると、画像データ処理部１３２で生成された操作メニューを含む画像データはパネル表示部５１に供給される（ステップＳ９１９）。そして、パネル表示部５１には、操作メニューを含む画像データが表示される。
【００７３】
図９は、本発明の実施の形態における表示部５０に操作キー画像データが表示された場合のパネル入力部５２に対する操作の流れを示す図である。操作指示部３２は、パネル入力部５２に操作が行われるまで待機する（ステップＳ９２１）。
【００７４】
パネル入力部５２に操作が行われると、操作指示部３２は操作が加えられた表示画面上の座標を取得する（ステップＳ９２２）。すなわち、パネル入力部５２に押下等の圧力が加えられると、入力制御部７０を介して操作指示部３２に圧力が加えられた表示画面上の座標が供給される。これにより、操作指示部３２は操作が加えられた表示画面上の座標を取得する。次に、操作指示部３２は、取得した表示画面上の座標が方向キーに対応する表示画面上の領域に含まれるか否かを判断する（ステップＳ９２３）。
【００７５】
なお、操作指示部３２は、図２で説明したように所定の操作指示と表示画面上の領域とを対応付けたテーブルを有しており、このテーブルを参照して取得した表示画面上の座標に対応する操作指示を行っている。ステップＳ９２３においては、方向キーに対応する表示画面上の領域に操作が行われたか否かがテーブルを参照して判断される。
【００７６】
取得した表示画面上の座標が方向キーに対応する表示画面上の領域に含まれると操作指示部３２において判断されると、操作指示部３２は、その方向キーに対応する方向にカーソルを移動させるよう画像データ処理部１３２に指示する（ステップＳ９２４）。そして、その指示通りにカーソルを移動させた表示が出力された後に、ステップＳ９２１に戻り、次の操作があるまで待機する。
【００７７】
一方、取得した表示画面上の座標が方向キーに対応する表示画面上の領域に含まれないと操作指示部３２において判断されると、次に、取得した表示画面上の座標が決定キー５０５に対応する表示画面上の領域に含まれるか否かが操作指示部３２において判断される（ステップＳ９２５）。
【００７８】
取得した表示画面上の座標が決定キー５０５に対応する表示画面上の領域に含まれると  操作指示部３２において判断されると、操作指示部３２はカーソルの位置する操作メニューの機能を実行するよう、例えば画像データ処理部１３２に指示する（ステップＳ９２６）。そして、その指示通りに操作メニューの機能が実行された後に、ステップＳ９２１に戻り、次の操作があるまで待機する。
【００７９】
一方、取得した表示画面上の座標が決定キー５０５に対応する表示画面上の領域に含まれないと操作指示部３２において判断されると、次に、取得した表示画面上の座標が画像データ戻りキー５０６または画像データ送りキー５０７に対応する表示画面上の領域に含まれるか否かが操作指示部３２において判断される（ステップＳ９２７）。
【００８０】
取得した表示画面上の座標が画像データ戻りキー５０６または画像データ送りキー５０７に対応する表示画面上の領域に含まれると操作指示部３２において判断されると、操作指示部３２は、画像データ送りまたは画像データ戻りを行うよう、例えば画像データ処理部１３２に指示する（ステップＳ９２８）。そして、その指示通りに画像データの画像データ送りまたは画像データ戻りが行われた後に、ステップＳ９２１に戻り、次の操作があるまで待機する。
【００８１】
一方、取得した表示画面上の座標が画像データ戻りキー５０６または画像データ送りキー５０７に対応する表示画面上の領域に含まれないと操作指示部３２において判断されると、操作指示部３２は、操作指示を行わず、ステップＳ９２１に戻り、次の操作があるまで待機する。
【００８２】
このように、本発明の実施の形態によれば、外部表示装置２００と接続された外部出力ケーブルが本発明の実施の形態における撮像装置と接続された場合には、切替えボタン等で切り換えなくても、外部表示装置２００には操作メニューを含む画像データを表示させて、撮像装置の表示部５０には操作キーを表示させて操作キーの機能を持たせるため、外部表示装置２００に表示された操作メニューを含む画像データを見ながら、撮像装置に表示された操作キーで操作することができる。
【００８３】
なお、本発明の実施の形態では、撮像装置において説明したが撮像機能を備えた携帯端末においても本発明を適用することは可能である。
【００８４】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００８５】
すなわち、請求項１において、パネル表示手段は、パネル表示部５１に対応する。また、外部出力手段は、例えば外部出力部８１に対応する。また、出力状態検出手段は、例えば出力状態検出部８２に対応する。また、表示データ指示手段は、例えば表示データ指示部３１に対応する。また、表示データ出力手段は、例えば表示データ供給部１０００に対応する。また、パネル入力手段は、例えばパネル入力部５２に対応する。
【００８６】
また、請求項２において、操作キー画像データ保持手段は、例えば操作キー画像データ保持部４１に対応する。また、表示データ選択手段は、例えば表示データ選択スイッチ４２に対応する。また、表示先選択手段は、例えば表示先選択部９０に対応する。
【００８７】
また、請求項３において、操作メニュー画像データ保持手段は、例えば操作メニュー画像データ保持部１３１に対応する。また、画像データ処理手段は、例えば画像データ処理部１３２に対応する。また、表示先選択スイッチは、例えば表示先選択スイッチ１３３に対応する。
【００８８】
また、請求項４において、画像データ出力手段は、例えば画像データ供給部１３０に対応する。また、操作キー画像データ保持手段は、例えば操作キー画像データ保持部４１に対応する。また、表示データ選択手段は、例えば表示データ選択スイッチ４２に対応する。
【００８９】
また、請求項５において、操作メニュー画像データ保持手段は、例えば操作メニュー画像データ保持部１３１に対応する。また、画像データ処理手段は、例えば画像データ処理部１３２に対応する。
【００９０】
また、請求項９において、撮像装置は、撮像装置１００に対応するまた、外部表示装置は、例えば外部表示装置２００に対応する。また、パネル表示手段は、パネル表示部５１に対応する。また、外部出力手段は、例えば外部出力部８１に対応する。また、出力状態検出手段は、例えば出力状態検出部８２に対応する。また、表示データ指示手段は、例えば表示データ指示部３１に対応する。また、表示データ出力手段は、例えば表示データ供給部１０００に対応する。また、パネル入力手段は、例えばパネル入力部５２に対応する。
【００９１】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【００９２】
【図１】本発明の実施の形態における画像表示システムを示す図である。
【図２】本発明の実施の形態における表示切替え機能の構成の一例を示す図である。
【図３】発明の別の実施の形態における表示切替え機能の構成の一例を示す図である。
【図４】出力状態検出部８２において外部出力部８１が外部に対して画像データを出力可能な状態にあることが検出された場合の外部表示装置２００および表示部５０の表示画面の様子を示す図である。
【図５】表示部５０に表示された操作キーにより外部表示装置２００に表示されたメニューを操作する様子を示す図である。
【図６】表示部５０に表示された操作キーにより外部表示装置２００に表示された画像データの画像データ送りを行う様子を示す図である。
【図７】出力状態検出部８２において外部出力部８１が外部に対して画像データを出力可能な状態にあることが検出されない場合の表示部５０の表示画面の様子を示す図である。
【図８】本発明の実施の形態における撮像装置１００の表示部５０に操作メニューを含む画像データまたは操作キー画像データを表示させるまでの流れを示す図である。
【図９】本発明の実施の形態における表示部５０に操作キー画像データが表示された場合のパネル入力部５２に対する操作の流れを示す図である。
【符号の説明】
【００９３】
１０  撮像部
１１  レンズ部
１２  撮像素子部
１３  信号処理部
２０  記録再生処理部
２１  符号化／復号化部
２２  記録／再生制御部
３０  システム制御部
３１  表示データ指示部
３２  操作指示部
４０  表示制御部
４１  操作キー画像データ保持部
４２  表示データ選択スイッチ
５０  表示部
５１  パネル表示部
５２  パネル入力部
６０  キー入力部
７０  入力制御部
８１  外部出力部
８２  出力状態検出部
９０  表示先選択部
１００  撮像装置
１１１、１１２  データ線
１１３  信号線
１３０  画像データ供給部
１３１  操作メニュー画像データ保持部
１３２  画像データ処理部
１３３  表示先選択スイッチ
２００  外部表示装置
３００  外部出力ケーブル
４００  外部記憶媒体
１０００  表示データ供給部
【図１】
2007067730.tif 000003
【図２】
2007067730.tif 000004
【図３】
2007067730.tif 000005
【図４】
2007067730.tif 000006
【図５】
2007067730.tif 000007
【図６】
2007067730.tif 000008
【図７】
2007067730.tif 000009
【図８】
2007067730.tif 000010
【図９】
2007067730.tif 000011